(57)【要約】【課題】保持材等を介在させることによるコストを低減させることができる電池収納構造および電池収納方法を提供する。【解決手段】電池収納構造は、電池を収納する収納ケース内に、正極端子、負極端子、および挟みばねを備える。正極端子は、電池の正極と接続する。負極端子は、電池の負極と接続する。挟みばねは、正極端子と負極端子との間に設けられ、電池の外周面の一部を挟持する。したがって、保持材等を介して、電池を収納した後に装着されるカバーによって電池を支持することなく電池を収納することができる。【選択図】図５
2014229391.tif 000002
【特許請求の範囲】
【請求項１】
電池を収納する電池収納構造であって、
電池を収納する収納ケース内に、
前記電池の正極と接続する正極端子と、
前記電池の負極と接続する負極端子と、
前記正極端子と前記負極端子との間に、前記電池の外周面の一部を挟持する挟みばねとを備える、電池収納構造。
【請求項２】
前記負極端子は、端子ばねで構成され、
前記挟みばねは、前記正極端子と前記負極端子との間に形成される前記収納ケース内の収納スペースにおいて、当該正極端子側に設けられる、請求項１に記載の電池収納構造。
【請求項３】
前記挟みばねは、収納ケース内に収納される電池を長手方向に四半分にした部位のうち、最も正極側となる部位の外周面を挟持する位置に設けられる、請求項２に記載の電池収納構造。
【請求項４】
前記負極端子は、ねじりばねで構成される、請求項１乃至３の何れか１つに記載の電池収納構造。
【請求項５】
前記挟みばねは、前記電池の外周面の両側とそれぞれ当接して挟持する内面において、当該内面の下部から当該内面の内側へ突出して当該電池の外周面を当該下部側から上方へ支える支えばねを備える、請求項１乃至４の何れか１つに記載の電池収納構造。
【請求項６】
収納された電池を、着脱自在に覆うカバーを、さらに備え、
前記カバーが取り付けられた場合、当該カバーの内面と前記挟みばねの外面の少なくとも一部とが当接する、請求項１乃至５の何れか１つに記載の電池収納構造。
【請求項７】
電池を収納する電池収納方法であって、
収納する電池の両電極を、正極端子と負極端子との間にはめ込んで電気的にそれぞれ接続するとともに、前記電池の外周面の一部を挟みばねで挟持して収納ケース内に収納する、電池収納方法。
【発明の詳細な説明】
【技術分野】
【０００１】
本発明は、電池収納構造および電池収納方法に関し、例えば、電池を電源とする機器等に当該電池を収納する構造および方法に関する。
【背景技術】
【０００２】
従来、乾電池等の電池を収納し、当該電池を電源として使用する機器がある。上記機器には、電池を収納して保持するための収納部が備えられている（例えば、特許文献１参照）。例えば、上記特許文献１で開示された電池収納構造では、電池の両極がそれぞれ端子に接続されるように電池を収納した後、当該電池を覆うようにカバーが装着される。
【先行技術文献】
【特許文献】
【０００３】
【特許文献１】特開２００２−１００３３６号公報
【発明の概要】
【発明が解決しようとする課題】
【０００４】
しかしながら、上記特許文献１で開示された電池収納構造は、電池を収納した後に装着されるカバーと当該電池の外周面とを当接させることによって、収納する電池を支持する構造となっている。したがって、収納した電池を安定して保持するためには、上記カバーと電池との間に所定の保持材を介在させる、または電池外周面に当接するようなカバーを設計する必要がある。
【０００５】
それ故に、本発明の目的は、保持材等を介在させることによるコストを低減させることができる電池収納構造および電池収納方法を提供することである。
【課題を解決するための手段】
【０００６】
上記目的を達成するために、本発明は例えば以下のような構成を採用し得る。なお、特許請求の範囲の記載を解釈する際に、特許請求の範囲の記載によってのみその範囲が解釈されるべきであることが理解され、特許請求の範囲の記載と本欄の記載とが矛盾する場合には、特許請求の範囲の記載が優先する。
【０００７】
本発明の電池収納構造の一構成例は、電池を収納する。電池収納構造は、電池を収納する収納ケース内に、正極端子、負極端子、および挟みばねを備える。正極端子は、電池の正極と接続する。負極端子は、電池の負極と接続する。挟みばねは、正極端子と負極端子との間に設けられ、電池の外周面の一部を挟持する。
【０００８】
上記によれば、収納する電池が収納ケースに設けられた挟みばねで挟持されるため、保持材等を介して、電池を収納した後に装着されるカバーによって電池を支持することが不要となり、当該保持材等に要するコストを低減することができる。
【０００９】
また、上記負極端子は、端子ばねで構成されてもよい。この場合、上記挟みばねは、正極端子と負極端子との間に形成される収納ケース内の収納スペースにおいて、当該正極端子側に設けられてもよい。
【００１０】
また、上記挟みばねは、収納ケース内に収納される電池を長手方向に四半分にした部位のうち、最も正極側となる部位の外周面を挟持する位置に設けられてもよい。
【００１１】
上記によれば、収納された電池に付勢力を加えることによって正極端子および負極端子との安定した接続が可能になるとともに、挟みばねが端子ばねから離れた位置に配置されているため、電池を収納したり取り外したりする際の抵抗力が分散されて電池を組み込む作業や電池を取り外す作業が容易となる。また、負極端子が端子ばねで構成される場合、組み付けられた電池の正極側が負極側と比較して外れやすくなるが、挟みばねによって電池の正極側を固定することによって、収納ケース内に電池を安定して収納することができる。
【００１２】
また、上記負極端子は、ねじりばねで構成されてもよい。
【００１３】
上記によれば、負極端子をねじりばねで構成することによって、収納された電池に付勢力を加えることによって正極端子および負極端子との安定した接続が可能になるとともに、当該負極端子と対峙して設けられた正極端子側から先に電池を収納ケース内に装着することもできるし、当該負極端子側から先に電池を収納ケース内に装着することもできる。
【００１４】
また、上記挟みばねは、支えばねを備えてもよい。支えばねは、電池の外周面の両側とそれぞれ当接して挟持する内面において、当該内面の下部から当該内面の内側へ突出して当該電池の外周面を当該下部側から上方へ支える。
【００１５】
上記によれば、挟みばねの内寸より小さい外径の電池を装着する場合であっても、支えばねで当該電池を支持することによって、当該電池を安定して収納することができる。
【００１６】
また、上記収納された電池を、着脱自在に覆うカバーを、さらに備えてもよい。カバーが取り付けられた場合、当該カバーの内面と挟みばねの外面の少なくとも一部とが当接してもよい。
【００１７】
上記によれば、収納される電池が挟みばねによって、さらに強固に挟持されるため、さらに電池を安定して収納することができる。
【００１８】
本発明の電池収納方法の一構成例は、電池を収納する。電池収納方法は、収納する電池の両電極を、正極端子と負極端子との間にはめ込んで電気的にそれぞれ接続するとともに、電池の外周面の一部を挟みばねで挟持して収納ケース内に収納する。
【００１９】
上記によれば、収納する電池が収納ケースに設けられた挟みばねで挟持されるため、保持材等を介して、電池を収納した後に装着されるカバーによって電池を支持することが不要となり、当該保持材等に要するコストを低減することができる。
【発明の効果】
【００２０】
本発明によれば、収納する電池が収納ケースに設けられた挟みばねで挟持されるため、保持材等を介して、電池を収納した後に装着されるカバーによって電池を支持することが不要となり、当該保持材等に要するコストを低減することができる。
【図面の簡単な説明】
【００２１】
【図１】本実施形態の一例に係る電池収納構造を有する機器１の一例を示す外観斜視図
【図２】機器１の後端ハウジング３を取り外した機器１の内部の一例を示す外観斜視図
【図３】機器１に電池が装着された状態の一例を示す外観斜視図
【図４】機器１からスライダ２０を取り外した状態の一例を示す外観斜視図
【図５】機器１に電池を組み込む手順の一例を示す説明図
【図６】機器１の内部構造の一例を示す縦断面図
【図７Ａ】機器１の後端ハウジング３を取り外した機器１の内部を上方から見た一例を示す外観図
【図７Ｂ】図７Ａにおける機器１を断面ＡＡの一例を示す断面図
【図７Ｃ】図７Ａにおける機器１を断面ＢＢの一例を示す断面図
【図７Ｄ】図７Ａにおける機器１を断面ＢＢで切断し、さらにスライダ２０の一部を切断した状態の一例を示す断面斜視図
【図８Ａ】切り欠きばね２９が設けられたスライダ２０の一例を示す外観上面図
【図８Ｂ】切り欠きばね２９が設けられたスライダ２０の一例を示す外観斜視図
【図９】収納ケースの壁面内に埋没した状態と当該壁面から電池収納スペース内に起立した状態とに変位可能な仕切部の一例を示す図
【発明を実施するための形態】
【００２２】
図１〜図４を参照して、本実施形態の一例に係る電池収納構造について説明する。なお、図１は、上記電池収納構造を有する機器１の一例を示す外観斜視図である。図２は、機器１の後端ハウジング３を取り外した機器１の内部の一例を示す外観斜視図である。図３は、機器１に電池が装着された状態の一例を示す外観斜視図である。図４は、機器１からスライダ２０を取り外した状態の一例を示す外観斜視図である。例えば、機器１は、電池を電源とする電気機器や電子機器等である。なお、本実施形態では、機器１の一例として、無線マイクを用いて説明する。
【００２３】
図１および図２において、機器１は、本体２および後端ハウジング３を備える。後端ハウジング３は、一方が閉塞された略円筒形状で形成されており、本体２に対して着脱自在に構成されている。
【００２４】
本体２は、機器１の電源となる電池を収納する電池収納構造を有する電池収納部を備えている。上記電池収納部は、大略的に収納ケース１０およびスライダ２０を含んでいる。例えば、収納ケース１０およびスライダ２０は、それぞれＡＢＳ（Ａｃｒｙｌｏｎｉｔｒｉｌｅ  Ｂｕｔａｄｉｅｎｅ  Ｓｔｙｒｅｎｅ：アクリロ二トリル・ブタジエン・スチレン樹脂）で構成される。なお、収納ケース１０およびスライダ２０は、他の熱可塑性樹脂で構成されてもよいし、熱硬化性樹脂等の他の樹脂で構成されてもよい。上記電池収納部は、後端ハウジング３を本体２から取り外した場合、その一部の上面が外部に開口された状態となる（図２の状態）。また、上記電池収納部は、後端ハウジング３を本体２に取り付けた場合、外部に開口可能な部位が後端ハウジング３の中空内部に収納される（図１の状態）。
【００２５】
図２〜図４に示すように、収納ケース１０は、所定形状の電池をその内部に収納可能な半円筒形状の部材で形成され、本体２に固設されている。具体的には、機器１は、２本の電池を電源として装着可能に構成されており、収納ケース１０には２本の電池が収納される。
【００２６】
スライダ２０は、所定形状の電池をその内部に収納可能な半円筒形状の部材で形成され、収納ケース１０の円筒内面に沿って機器１の長軸方向（以下、前後方向とする）へスライド可能に構成される。具体的には、スライダ２０には上記２本の電池のうち、機器１の先端側の電池（先端側電池）が収納され、半円筒内面全体が先端側電池の外面と接するサイズとなっており、収納ケース１０の半円筒形状部材の円筒内面に沿って当該円筒内面に嵌合しながら前後方向にスライダ２０の円筒外面がスライド可能となるように形成されている。
【００２７】
図４に示すように、スライダ２０の後端側には、先端側電池を組み込んだ状態で当該先端側電池の後端を支持する隔壁１００が形成されている。図３から明らかなように、隔壁１００は、先端側電池および後端側電池が電池収納部に組み込まれた場合、先端側電池と後端側電池との間に挟持され、先端側電池の電極（例えば、負極）と後端側電池の電極（例えば、正極）とを仕切るとともに、所定の端子（後述する先端側負極端子２３と後端側正極端子板２４）を介して当該電極同士を電気的に接続する機能を有している。
【００２８】
また、図４に示すように、収納ケース１０の円筒内面には、当該円筒中心側へ凸形状となった爪部１１が前後方向に並ぶ位置に複数形成されている。そして、複数の爪部１１の位置より下方となる収納ケース１０の半円筒内面とスライダ２０の半円筒外面とが接するように、スライダ２０が収納ケース１０に装着される。なお、複数の爪部１１は、それぞれ円筒中心側へ収納ケース１０の円筒内面から突出しているため、スライダ２０が前後方向にスライドする際、収納ケース１０が開口している上方へスライダ２０が外れること防止するガイドとして機能する。
【００２９】
次に、図５を参照して、機器１に電池を組み込む手順について説明する。なお、図５は、機器１に電池を組み込む手順の一例を示す説明図である。
【００３０】
図５において、機器１に電池（例えば、単３電池）を組み込む際、図２に示したように後端ハウジング３を本体２から取り外し、電池収納部の上部の一部が開口した状態とする。そして、スライダ２０を収納ケース１０の内面に沿って後端方向（後方）へスライドさせることによって、スライダ２０に先端側電池を収納するための半円筒内面が、電池収納部の開口から外部に露出した状態とする（図５（Ａ）の状態）。
【００３１】
次に、スライダ２０内に上記開口から先端側電池を挿入して組み込む（図５（Ｂ）参照）。このとき、スライダ２０の半円筒内面が先端側電池の外面と接するサイズとなっているため、挿入された先端側電池は、スライダ２０の半円筒内面の略全面と接する、あるいは所定のクリアランスを介して接する状態で配置される。したがって、スライダ２０が収納ケース１０の後端側へスライドした状態では、スライダ２０に対して先端側電池を自由に出し入れすることができる。また、一例として、先端側電池は、その負極が後端側となるようにスライダ２０内に組み込まれる。これによって、先端側電池の負極と隔壁１００内に設けられたコイル状の端子ばねを有する端子（後述する先端側負極端子２３）とが接触可能な状態となる。
【００３２】
次に、先端側電池が組み込まれた状態でスライダ２０を収納ケース１０の内面に沿って先端方向（前方）へスライドさせる（図５（Ｃ）参照）。これによって、スライダ２０が先端側電池とともに、これらの一部が本体２内に挿入された状態となる。なお、後述より明らかとなるが、スライダ２０は、組み込まれた先端側電池の電極（例えば、正極）と、本体２内に設けられた先端側正極端子板３１とが接触する位置まで、前方向へスライド可能である。そして、スライダ２０は、先端側電池の正極と先端側正極端子板３１とを接触させた状態でスライダ２０の前部と本体２とが当接することによって、前方向の最奥位置までスライド可能となっている。そして、この最奥位置までスライダ２０を移動させた場合、スライダ２０の先端部分（例えば、前方向の略半分）が先端側電池の正極側部分（例えば、正極側の略半分）とともに本体２内に挿入された状態となる。そして、先端側電池が組み込まれた状態でスライダ２０を上記最奥位置までスライドさせた場合、スライダ２０の隔壁１００と収納ケース１０の後端との間に、後端側電池を挿入するための空間が形成される。
【００３３】
次に、収納ケース１０内に上記開口から後端側電池を挿入して組み込む（図５（Ｄ）参照）。ここで、スライダ２０の隔壁１００の後端側には挟みばね２２が設けられており、後端側電池を挟みばね２２に挟持されるようにはめ込んで挿入する。また、収納ケース１０の後端にはトーションばねを有する後端側負極端子１２が設けられており、後端側電池の負極と後端側負極端子１２とを接触させて当該トーションばねを縮めるようにして後端側電池を挿入する。さらに、スライダ２０は、先端側負極端子２３が有するコイル状の端子ばねの付勢力によって、隔壁１００が後端側へ押された状態で配置されているため、後端側電池の正極と隔壁１００内に設けられた後端側正極端子板２４とを接触させて当該端子ばねを縮めるようにして後端側電池を挿入する。したがって、収納ケース１０内に組み込まれた場合、後端側電池は、挟みばね２２によって上下左右方向が挟持されるとともに、後端側負極端子１２が有するトーションばねの付勢力および先端側負極端子２３が有する端子ばねの付勢力が釣り合った前後方向の位置に固定されることになる。なお、機器１の電池収納部に組み込まれた電池が電池収納部内で固定される詳細な機構については後述する。
【００３４】
なお、後端側電池は、その負極が後端側となるように収納ケース１０内に組み込まれるが、先端側が挟みばね２２で挟持され後端側がトーションばねで支持される。ここで、トーションばねは、コイル軸のまわりにねじりモーメント（トルク）を受けて使用されるばね部材であり、組み込まれる電池を上方から下方に移動させることによって後方向へ収縮させてねじった状態にすることも可能であるし、組み込まれる電池を前方向から後方向へ移動させることによって後方向へ収縮させてねじった状態にすることも可能である。したがって、後端側電池は、その正極側を先に挿入することもできるし、その負極側を先に挿入することもできる。例えば、図５（Ｄ）に示したように、後端側電池の正極を後端側正極端子板２４と接触させながら後端側電池の正極側と挟みばね２２とを挟持させて後端側電池の正極側を収納ケース１０内に挿入した後、後端側電池の負極側をトーションばねと接触させながら下方へ押し込むことによってトーションばねを後方向へ収縮させてねじった状態にして、後端側電池の負極側を収納ケース１０内に挿入して組み込んでもよい。また、後端側電池の負極をトーションばねと接触した状態で前方向から後方向に移動させることによってトーションばねを後方向へ収縮させてねじった状態にして後端側電池の負極側を収納ケース１０内に挿入した後、後端側電池の正極側と挟みばね２２とを挟持させて後端側電池の正極側を収納ケース１０内に挿入して組み込んでもよい。
【００３５】
次に、図６を参照して、機器１の電池収納部に組み込まれた電池が前後方向に配置されて固定される構造について説明する。なお、図６は、機器１の内部構造の一例を示す縦断面図である。
【００３６】
図６において、本体２の内部には、スライダ２０に組み込まれた先端側電池の正極と当接する位置に先端側正極端子板３１が設けられている。例えば、先端側正極端子板３１は、先端側電池の正極と当接するための凸部が形成された金属板材で形成され、本体２の内部に固設されている。また、スライダ２０の隔壁１００内には、先端側負極端子２３と後端側正極端子板２４とが設けられている。先端側負極端子２３の後端側と後端側正極端子板２４の先端側とは電気的に接続されるように接合されており、当該接合状態で隔壁１００内に固設されている。例えば、先端側負極端子２３は、前後方向に伸縮可能なコイル状の端子ばねで構成されており、隔壁１００内に固設された状態で端子ばねの先端側と先端側電池の負極とが接触する位置に設けられている。後端側正極端子板２４は、後端側電池の正極と当接するための凸部が形成された金属板材で形成され、隔壁１００内に固設された状態でその後端側凸面と先端側電池の正極とが接触する位置に設けられている。さらに、収納ケース１０の後端には、収納ケース１０に組み込まれた後端側電池の負極と接触する位置に後端側負極端子１２が設けられている。例えば、後端側負極端子１２は、前方方向への付勢力を有するトーションばね（ねじりコイルばね）で構成されており、収納ケース１０の後端部に固設された状態でトーションばねの先端側と後端側電池の負極とが接触する位置に設けられている。なお、先端側正極端子板３１や後端側負極端子１２は、一般的に用いられる黄銅で構成してもよいが、先端側電池と後端側電池との間に配置される端子（先端側負極端子２３、後端側正極端子板２４）は、機器１を振り動かした際に生じる応力に対する耐久性を向上させるために、相対的に強度が高いステンレス鋼等によって構成されてもよい。また、トーションばねをばね部材と板金との２部品で構成し、ばね部材をステンレス鋼で、板金を黄銅で構成してもよい。
【００３７】
機器１の電池収納部に組み込まれた先端側電池は、その正極が先端側正極端子板３１の凸面と接触し、その負極が先端側負極端子２３と接触した状態で配置される。また、機器１の電池収納部に組み込まれた後端側電池は、その正極が後端側正極端子板２４の凸面と接触し、その負極が後端側負極端子１２と接触した状態で配置される。ここで、先端側負極端子２３を構成する端子ばねは、縮んだ状態で先端側電池の負極と当接し、後端側負極端子１２を構成するトーションばねは、後方向へねじられて前方向への付勢力を有する状態で後端側電池の負極と当接する。したがって、先端側電池および後端側電池は、先端側負極端子２３を構成する端子ばねの付勢力と後端側負極端子１２を構成するトーションばねの付勢力とによって付勢された状態で配置され、当該付勢力が釣り合う位置に配置されることになる。つまり、複数の電池が複数のばね部材によって支えられることになるため、各電池に作用する付勢力を平均化することができる。さらに、先端側負極端子２３および後端側正極端子板２４を介して先端側電池と後端側電池とが接続されるため、電池同士が直接接続されることがない。したがって、外部から衝撃が加わるなどして電池同士が干渉することによる耐久性の低下等を防止することが可能となる。
【００３８】
また、先端側電池は、その負極がコイル状の端子ばねと接続されるため、先に負極側を挿入した後に正極側をはめ込むような組み込み手順となる。一方、後端側電池は、その負極がトーションばねで構成された負極端子と接続されるとため、先に負極側を挿入した後に正極側をはめ込むような組み込み手順でもよいし、先に正極側を挿入した後に負極側をはめ込むような組み込み手順でもよい。
【００３９】
ここで、後端側負極端子１２として用いられるトーションばねは、後端側電池に押圧されることによってねじれることによる後方向への単位長さ当たりの付勢力が、先端側負極端子２３として用いられる端子ばねが伸縮する単位長さ当たりの付勢力より大きくなるように構成されている。これによって、スライダ２０を確実に上記最奥位置までスライドさせることが可能となり、スライダ２０を上記最奥位置で確実に固定して、電池組み込み状態では隔壁１００を常に同じ位置（すなわち、先端側電池と後端側電池とがそれぞれ常に同じ位置）で固定することができる。
【００４０】
次に、図７Ａ〜図７Ｄを参照して、スライダ２０が収納ケース１０に沿ってスライドする構造および電池収納部に組み込まれた電池が上下左右方向に固定される構造について説明する。なお、図７Ａは、機器１の後端ハウジング３を取り外した機器１の内部を上方から見た一例を示す外観図である。図７Ｂは、図７Ａにおける機器１を断面ＡＡの一例を示す断面図である。図７Ｃは、図７Ａにおける機器１を断面ＢＢの一例を示す断面図である。図７Ｄは、図７Ａにおける機器１を断面ＢＢで切断し、さらにスライダ２０の一部を切断した状態の一例を示す断面斜視図である。
【００４１】
図７Ａ〜図７Ｄにおいて、スライダ２０の半円筒外面の底部には、前後方向に２本の凸条２１が延設されている。また、収納ケース１０の半円筒内面の底部には、凸条２１が摺動可能な２本の条溝１３が前後方向に形成されている。そして、スライダ２０が収納ケース１０内に取り付けられた状態では、凸条２１がそれぞれ条溝１３に係合した状態となり、条溝１３と係合した状態で凸条２１が摺動することによってスライダ２０が収納ケース１０内を前後方向にスライドする。
【００４２】
また、図７Ｂの摺動部詳細図に示すように、凸条２１と条溝１３とが係合してスライダ２０が収納ケース１０内を前後方向にスライドしている状態では、前後方向に並設された爪部１１とスライダ２０の上面端部２５との間に隙間Ｇ１が形成される。したがって、スライダ２０を収納ケース１０内でスライドさせる場合、爪部１１によってスライダ２０が下方へ押さえつけられることがないため、大きな抵抗力が生じることなくスライダ２０を前後方向へスライド移動させることができる。
【００４３】
一方、図７ＤのＣ部詳細図に示すように、スライダ２０が上記最奥位置に配置された場合に、最も後方向に形成された爪部１１の下方に位置するスライダ２０の上面端部２５の部位には、段差部２８が形成されている。なお、図７Ｄにおいては、説明をわかりやすくするために前方向に向かって左側に設けられた段差部２８のみ図示しているが、同様の段差部２８が前方向に向かって右側となるスライダ２０の上面端部２５の当該部位にも形成されている。段差部２８は、スライダ２０の上面端部２５における他の部位より、隙間Ｇ１と同じまたは隙間Ｇ１より長い寸法で上方へ凸となる高さに形成されている。したがって、スライダ２０が上記最奥位置までスライドした場合、最も後方向に形成された左右の爪部１１と段差部２８とが当接することになり、スライダ２０が収納ケース１０の底部（例えば、条溝１３）に押さえつけられることになる。これによって、スライダ２０は、先端側電池が組み付けられた状態で上記最奥位置までスライドした場合、収納ケース１０内においてその上下方向が爪部１１によって固定されることになる。
【００４４】
スライダ２０内に組み付けられた先端側電池は、上記最奥位置までスライドされた場合、正極および負極がそれぞれ先端側正極端子板３１および先端側負極端子２３と接触した状態で、その外周面の下方部位がスライダ２０の半円筒内面底部２７と接触した状態となる。そして、スライダ２０内に組み付けられた先端側電池の外周面の上方部位は、本体２内部の内壁面の一部と当接して下方へ押さえつけられる。したがって、スライダ２０内に組み付けられた先端側電池の外周面は、上記最奥位置までスライドされた場合、本体２内部の内壁面とスライダ２０の半円筒内面底部２７との間で挟持されることになり、先端側電池の上下左右方向が機器１内で固定される。
【００４５】
収納ケース１０内に組み付けられた後端側電池は、正極および負極がそれぞれ後端側正極端子板２４および後端側負極端子１２と接触した状態で、その外周面の前方側が挟みばね２２に挟持された状態となる。ここで、挟みばね２２は、後端側電池の上下左右方向を挟持するため、後端側電池を収納ケース１０の底面側へ押さえ込んで固定することができる。また、収納ケース１０の後端底部には、後端側電池載置面１４が形成されている。後端側電池載置面１４は、挟みばね２２の内面の一部と同じ形状の円弧面、かつ、当該挟みばね２２の内面と同じ高さに形成され、条溝１３が形成されている収納ケース１０の底部より上方へ高く形成される。したがって、後端側電池における外周面の下方部位は、その前方部が挟みばね２２の内面と当接し、その後方部が後端側電池載置面１４と当接することになり、安定した姿勢で収納ケース１０内に組み付けられる。上述したように、挟みばね２２が収納ケース１０の底面側へ押さえ込む方向に後端側電池を固定するため、挟みばね２２の挟持力によって、挟みばね２２の内面と後端側電池載置面１４と当接した状態で後端側電池を安定して固定することができる。このように、後端側電池は、挟みばね２２によって挟持されているため、さらに後端側電池を他の部材と当接させて後端側電池を固定するような機構は不要となる。例えば、本実施形態における後端ハウジング３が略円錐形である場合、後端ハウジング３と後端側電池とを当接させることによって後端側電池を固定する機構を実現することは非常に難しいが、当該機構がない場合であっても挟みばね２２によって後端側電池を安定して支持することができる。また、一般的な電池ケースの場合、収納する電池と電池ケースとを当接させながら、所定の保持材を介して収納する電池と当該電池ケースの蓋とを当接させて固定する機構が必要となる。しかしながら、挟みばね２２によって収納する電池を挟持することによって、このような保持材を用いた電池の保持機構が不要となり、コストを低減させながら収納した電池を安定して保持することができる。
【００４６】
なお、図示は省略するが、後端ハウジング３が本体２に取り付けられた場合、後端ハウジング３の内壁面と挟みばね２２の外周面とが当接することによって、後端ハウジング３の軸方向へ縮める方向の力が挟みばね２２に加えられてもよい。これによって、後端ハウジング３を本体２に取り付けると、挟みばね２２が後端側電池を挟持する力がさらに強まることになり、さらに安定して後端側電池が収納ケース１０内に組み付けられることになる。
【００４７】
また、挟みばね２２は、収納される後端側電池の正極付近（例えば、後端側電池の長手方向を四半分にした部位のうち、最も正極側となる部位）の外周面を挟持可能な位置に設けられてもよい。この場合、挟みばね２２と後端側電池載置面１４とによって、後端側電池の正極側外周面の下部と負極側外周面の下部とを支持することが可能となり、後端側電池の両端下部を支えることによって安定して後端側電池を収納することが可能となる。また、後端側負極端子１２がコイル状の端子ばねで構成される場合であっても、後端側電池の負極側を収納ケース１０に組み込んだ後に後端側電池の正極側を挟みばね２２に容易にはめ込むことが可能となる。また、後端側負極端子１２が端子ばねで構成される場合、組み付けられた後端側電池の正極側が負極側と比較して上方へ浮きやすくなるが、挟みばね２２によって後端側電池の正極側を収納ケース１０内に固定することによって、収納ケース１０内に後端側電池を安定して収納することができる。さらに、後端側電池の正極側を挟みばね２２にはめ込む際の抵抗力と、後端側電池の負極側によって後端側負極端子１２のトーションばねを縮めるための抵抗力や後端側電池を取り外す際の抵抗力とを分散させることによって、後端側電池を組み込む際の抵抗力を低減させることも可能となる。
【００４８】
このように、上述した電池収納構造では、収納ケース１０において先端側電池を収納する第１収納スペースと後端側電池を収納する第２収納スペースとを仕切って当該電池を接続する仕切部を可動式にすることによって、当該電池を組み込むための開口部を最小限にすることができる。例えば、上述した電池収納構造の一例では、２本の電池を長手方向に直列に並べて収納する場合であっても、電池１本分強程度の大きさの開口部を設けるだけで全ての電池を収納することが可能となる。
【００４９】
なお、挟みばね２２における後端側電池を挟持する面に、さらに後端側電池を下方から支えるばね作用を呈する機構（例えば、支えばね）を設けてもかまわない。例えば、図８Ａおよび図８Ｂに示すように、挟みばね２２における後端側電池を挟持する面に、切り欠きばね２９（支えばね）を設けてもかまわない。なお、図８Ａは、切り欠きばね２９が設けられたスライダ２０の一例を示す外観上面図である。図８Ｂは、切り欠きばね２９が設けられたスライダ２０の一例を示す外観斜視図である。
【００５０】
図８Ａおよび図８Ｂにおいて、切り欠きばね２９は、挟みばね２２における後端側電池を挟持する面の一部を略Ｊの字型に切り欠くことによって形成されている。そして、切り欠きばね２９は、そのＪの字部分が後端側電池と接する挟みばね２２の内面よりも内側に迫り出して形成される。これによって、切り欠きばね２９は、挟みばね２２によって挟持された後端側電池を上方へ押し上げる付勢力を与える機能を有する。したがって、挟みばね２２によって後端側電池を挟持する力は、切り欠きばね２９の付勢力によってさらに強くなるため、さらに安定して後端側電池を収納することが可能となる。また、後端側電池の外径ばらつき等に起因して、後端側電池の外周面と挟みばね２２の内面との間にがたつきが生じる場合であっても、切り欠きばね２９を設けることによって当該がたつきを防止することができる。
【００５１】
さらに、上記支えばねによって、サイズの異なる電池を挟みばね２２によって支持可能に構成してもよい。一例として、挟みばね２２の内面を単３電池の外周面に合わせた形状に形成する。そして、支えばねと挟みばね２２とによって囲まれた空間が単４電池の外周面に合わせた形状となるように、挟みばね２２の内面よりも内側に迫り出す支えばねのせり出し高さを設定する。これによって、挟みばね２２によって単３電池を支持することが可能であるとともに、同じ挟みばね２２によって単４電池を支持することも可能となる。なお、単３電池と単４電池とでは外径だけでなく、長手方向の長さも異なるが、当該長さの差は、当該電池と接続する端子が有するばね部材の伸縮によって調整してもよい。
【００５２】
また、図８Ａおよび図８Ｂに示すように、スライダ２０の隔壁１００上面にガイド斜面２６を形成してもよい。例えば、ガイド斜面２６は、スライダ２０の先端側から後端側へ傾斜する平面または曲面で形成される。ガイド斜面２６が隔壁１００の上面に形成されている場合、ガイド斜面２６の斜面上に後端側電池の正極側を滑らせながら、後端側電池を収納ケース１０に挿入することができる。例えば、後端側電池を挿入する際、スライダ２０が重力や先端側負極端子２３が有する端子ばねの付勢力によって後端側に配置されている場合であっても、後端側電池がガイド斜面２６にガイドされながら挿入されることによってスライダ２０が先端側へスライド移動しながら後端側電池が組み込まれるため、予めスライダ２０を先端側へ動かして後端側電池が挿入されるスペースを押し広げるような作業が不要となる。
【００５３】
また、上述した実施例では、収納ケース１０において先端側電池を収納する第１収納スペースと後端側電池を収納する第２収納スペースとを仕切る可動の仕切部（隔壁１００）を、当該電池の長手方向（前後方向）にスライドさせることによって、第１収納スペースの大きさを変える例を用いたが、当該仕切部を他の方向へ移動させることによって同様の機能を実現してもかまわない。
【００５４】
第１の例として、図９に示すように、収納ケースの壁面内に埋没した状態と当該壁面から電池収納スペース内に起立した状態とに変位可能な仕切部であっても、同様の機能を実現することができる。一例として、当該仕切部は、図示Ｄ方向に回動することによって、埋没した状態と起立した状態とに変位する。そして、当該仕切部が埋没した状態で先端側電池を収納ケースの奥側（図示右側）へ挿入し、当該仕切部を起立した状態に回動させた後に後端側電池を収納ケースの手前側（図示左側）に挿入して組み付ければ、同様に開口部を極力小さくした電池収納構造が実現できる。
【００５５】
第２の例として、第１収納スペースと第２収納スペースとを仕切る可動の仕切部を、収納する電池の軸方向を中心に回転させることによって、上記前後方向に移動する構造であってもかまわない。一例として、先端側電池を保持する部材と本体とを螺合させることによって、先端側電池を保持する部材とともに先端側へねじ込むように移動させることが可能となり、上記第２の例による電池収納構造の実現が可能となる。
【００５６】
第３の例として、複数の電池を横に並べて収納する構造であってもかまわない。この場合、第１収納スペースと第２収納スペースとが左右に並んで設けられ、第１収納スペースと第２収納スペースとを仕切る可動の仕切部が電池の短手方向（左右方向）にスライドする。これによって、一方の電池（例えば、右側電池）を収納した後に上記仕切部とともに当該電池を第１収納スペースへ移動（例えば、右方向へ移動）させ、当該移動によって空いた第２収納スペースに他方の電池（例えば、左側電池）を収納するような電池収納構造の実現が可能となる。
【００５７】
また、上述した実施例では、スライダ２０をスライドさせることによって、収納ケース１０内に複数の電池を収納可能に構成されているが、挟みばね２２で電池を支持することによる効果のみ得る場合は、１本の電池を収納する電池収納構造であってもかまわない。この場合、収納する電池の電極と接続する端子と端子ばねとが前後端に設けられた、１本の電池の収納が可能な収納ケースと、当該収納ケース内に設けられた挟みばねとによって、電池収納構造が構成されることになる。なお、当該電池収納構造において収納ケースに設けられる端子ばねは、典型的には収納する電池の負極と接続する機能を有するが、トーションばね（ねじりばね）で構成されてもいいし、その他コイル状の端子ばね等で構成されてもよい。
【００５８】
また、上述した電池収納機構で用いられる部品形状、部品材質、部品数、部品配置位置、部品が有する機能等は、単なる一例に過ぎず他の形状、材質、数、配置位置であってもいいし、他の機能を有するものであっても、本実施例を実現できることは言うまでもない。例えば、後端側負極端子１２をトーションばねで構成する例を用いたが、後端側負極端子１２を１つのトーションばねで構成してもいいし、複数のトーションばねで構成してもいいし、後端側電池を上方から挿入することに応じて後端側へ縮むことによって先端側方向への付勢力を後端側電池に付勢する他のばねで構成してもよい。また、後端側負極端子１２は、コイル状の端子ばねなど、先端側からのみ電池挿入が可能なばね材料で構成してもいいし、ばね性を有する他のばね材料で構成してもよい。また、先端側負極端子２３をコイル状の端子ばねで構成したが、先端側電池を上方から挿入することに応じて後端側へ縮むことによって先端側方向への付勢力を先端側電池に付勢するトーションばねのようなばねで構成してもいいし、先端側からのみ電池挿入が可能な他のばね材料で構成してもいいし、ばね性を有する他のばね材料で構成してもよい。さらに、ばね性を有するばね材料で先端側正極端子および／または後端側正極端子を構成してもよい。また、上述した実施例では、２本の電池（先端側電池および後端側電池）を組み込む例を用いたが、上記電池収納機構に組み込み可能な電池は、３本以上であってもかまわない。
【００５９】
以上、本発明を詳細に説明してきたが、前述の説明はあらゆる点において本発明の例示に過ぎず、その範囲を限定しようとするものではない。本発明の範囲を逸脱することなく種々の改良や変形を行うことができることは言うまでもない。本発明は、特許請求の範囲によってのみその範囲が解釈されるべきであることが理解される。また、当業者は、本発明の具体的な実施形態の記載から、本発明の記載および技術常識に基づいて等価な範囲を実施することができることが理解される。また、本明細書において使用される用語は、特に言及しない限り、当該分野で通常用いられる意味で用いられることが理解されるべきである。したがって、他に定義されない限り、本明細書中で使用される全ての専門用語および技術用語は、本発明の属する分野の当業者によって一般的に理解されるのと同じ意味を有する。矛盾する場合、本明細書（定義を含めて）が優先する。
【産業上の利用可能性】
【００６０】
以上のように、本発明は、保持材等を介して、電池を収納した後に装着されるカバーによって電池を支持することなく電池を収納する等を目的として、例えば電池収納構造および電池収納方法等として有用である。
【符号の説明】
【００６１】
１…機器
２…本体
３…後端ハウジング
１０…収納ケース
１１…爪部
１２…後端側負極端子
１３…条溝
１４…後端側電池載置面
２０…スライダ
２１…凸条
２２…挟みばね
２３…先端側負極端子
２４…後端側正極端子板
２５…上面端部
２６…ガイド斜面
２７…半円筒内面底部
２８…段差部
２９…切り欠きばね
３１…先端側正極端子板
１００…隔壁
【図１】
2014229391.tif 000003
【図２】
2014229391.tif 000004
【図３】
2014229391.tif 000005
【図４】
2014229391.tif 000006
【図５】
2014229391.tif 000007
【図６】
2014229391.tif 000008
【図７Ａ】
2014229391.tif 000009
【図７Ｂ】
2014229391.tif 000010
【図７Ｃ】
2014229391.tif 000011
【図７Ｄ】
2014229391.tif 000012
【図８Ａ】
2014229391.tif 000013
【図８Ｂ】
2014229391.tif 000014
【図９】
2014229391.tif 000015